(57)【要約】【課題】簡単な構成でありながら、骨組構造材同士の接続を補強することができ、且つ、湿気等での骨組構造材の強度低下を抑制できる耐震補強金具を提供する。【解決手段】木造建築物の骨組みを構成する骨組構造部材（９）の接合部に設置される耐震補強金具を、略Ｌ字型に形成した金属製金具本体（３）と、この金属製金具本体の二つの取付片（１）（２）にそれぞれ套嵌される弾性材製鞘管（４）とで構成する。各取付片（１）（２）及びこれに套嵌されている弾性材製鞘管（４）に取付ネジ挿通孔（Ｆ）をそれぞれ形成する。【選択図】　　図１
2004011141.tif 000002
【特許請求の範囲】
【請求項１】
木造建築物の骨組みを構成する骨組構造部材（９）の接合部に設置される耐震補強金具であって、
略Ｌ字型に形成した金属製金具本体（３）と、この金属製金具本体の二つの取付片（１）（２）にそれぞれ套嵌される弾性材製鞘管（４）とからなり、各取付片（１）（２）及びこれに套嵌されている弾性材製鞘管（４）に取付ネジ挿通孔（Ｆ）がそれぞれ形成してあることを特徴とする木造建築物の耐震補強金具。
【請求項２】
取付ネジ挿通孔（Ｆ）が大径ネジ挿通孔（５）と複数の小径ネジ挿通孔（６）で構成されている請求項１に記載した木造建築物の耐震補強金具。
【発明の詳細な説明】
【０００１】
【発明の属する技術分野】
本発明は、木造建築物の骨組みを構成する構造部材同士の接合部に設置される耐震補強金具に関し、特に、既設建築物での骨組みを構成する構造部材同士の接合部に設置される耐震補強金具に関する。
【０００２】
【従来の技術】
木造建築物では、土台材と柱材、土台材同士、土台材と根太材、柱材と桁材などの構造材をほぞとほぞ穴との組み合わせや軸接続構造等で接合して骨組みとしているが、その接合部に補強金具を配置して、耐震補強するようにしている。
【０００３】
【発明が解決しようとする課題】
このような補強金具として、従来から種々の形状・構造のものが提供されている。従来の補強金具は通常釘やネジで骨組構造材に止め付けているが、この場合、補強金具と骨組構造材との間には弾性材が緩衝材として配置されるが、補強金具と釘頭やネジ頭とは直接的な接触となっている。このため、釘頭やネジ頭と補強金具との接触部分から水分や湿気が浸入し、その水分や湿気が釘やネジの脚部周面を伝って骨組構造材に至り、木材製の骨組構造材の強度低下に寄与することがあった。
【０００４】
本発明はこのような点に着目してなされたもので、簡単な構成でありながら、骨組構造材同士の接続を補強することができ、且つ、湿気等での骨組構造材の強度低下を抑制できる耐震補強金具を提供することを目的とする。
【０００５】
【課題を解決するための手段】
上述の目的を達成するために請求項１に記載の発明は、略Ｌ字型に形成した金属製金具本体と、この金属製金具本体の二つの取付片にそれぞれ套嵌される弾性材製鞘管とからなり、各取付片及びこれに套嵌されている弾性材製鞘管に取付ネジ挿通孔がそれぞれ形成してあることを特徴としている。
【０００６】
また、請求項２に記載の発明は、各取付片及びこれに套嵌されている弾性材製鞘管に形成されている取付ネジ挿通孔が大径ネジ挿通孔と複数の小径ネジ挿通孔で構成されていることを特徴とするものである。
【０００７】
【発明の作用】
本発明では、耐震補強金具を略Ｌ字型に形成した金属製金具本体と、この金属製金具本体の二つの取付片にそれぞれ套嵌される弾性材製鞘管とで構成し、各取付片及びこれに套嵌されている弾性材製鞘管に取付ネジ挿通孔がそれぞれ形成してあるので、金属製金具本体と骨組構造材との間及び取り付けネジと金属製金具本体との間に生じる衝撃力を吸収緩衝することができるうえ、取付ネジの頭部と金属製金具本体との間からの水分浸入を防止することになる。
【０００８】
【発明の実施の形態】
図は本発明の実施形態の一例を示し、図１は耐震補強金具の斜視図、図２はその使用状態の一例を示す斜視図である。
この耐震補強金具は、帯鋼板の中間部を折曲げることにより、２つの取付片（１）（２）が直角方向に連出する略Ｌ字形に形成した金具本体（３）と、この金具本体（３）の各取付片（１）（２）に套嵌するゴム製の鞘管（４）とで構成してある。
【０００９】
金具本体（３）は、各取付片（１）（２）に各々一つの大径ネジ挿通孔（５）と複数（図では三つ）の小径ネジ挿通孔（６）からなる取付ネジ挿通孔（Ｆ）が透設してある。そして、この大径ネジ挿通孔（５）は、一方の取付片（１）では、折れ曲がり部（コーナー部）から離れる連出先端寄り部分に形成してあり、他方の取付片（２）では折れ曲がり部（コーナー部）に近い基端寄り部分に形成してある。
【００１０】
小径ネジ挿通孔（６）は取付片（１）（２）にその幅方向中央線を挟む状態で各々千鳥状に形成してある。そして、大径ネジ挿通孔（５）を連出先端寄り部分に形成している取付片（１）では、小径ネジ挿通孔（６）を大径ネジ挿通孔形成領域よりも基端寄り部分に、大径ネジ挿通孔（５）を基端寄り部分に形成している取付片（２）では、小径ネジ挿通孔（６）を大径ネジ挿通孔形成領域よりも連出先端寄り部分にそれぞれ形成している。
【００１１】
鞘管（４）は金具本体（３）の各取付片（１）（２）の大径ネジ挿通孔形成領域及び小径ネジ挿通孔形成領域を覆う状態に挿嵌してあり、取付片（１）（２）に形成した大径ネジ挿通孔（５）及び小径ネジ挿通孔（６）と対応する個所に夫々大径ネジ貫通孔（７）及び小径ネジ貫通孔（８）が透設してある。この大径ネジ貫通孔（７）及び小径ネジ貫通孔（８）も前述した取付ネジ挿通孔（Ｆ）を構成することになる。そして、この大径ネジ貫通孔（７）の大径ネジ挿入側の端縁部分は座ぐりが施してあり、小径ネジ貫通孔（８）の小径ネジ挿入側の端縁部分の周面は円錐状に形成してある。なお、この鞘管（４）としては、前述のゴムのほかに合成樹脂などが考えられ、弾性と透水性とを併せ持つものが好ましい。
【００１２】
この耐震補強金具を木造建築物の骨組構造材（９）である土台材（１０）と柱材（１１）との接合部分に使用する場合、土台材（１０）の中間部に形成されたほぞ穴に柱材（１１）の木口に形成したほぞを嵌め合わせて土台材（１０）上に柱材（１１）が立設されることになるから、接続部に木口を有する柱材（１１）に大径ネジ挿通孔（５）が連出先端寄りに形成されている取付片（１）が、土台材（１０）に小径ネジ挿通孔（６）が連出先端寄りに形成されている取付片（２）がそれぞれ位置する状態に取り付ける。
【００１３】
そして図３に示すように、各取付片（１）（２）の大径ネジ挿通孔（５）に例えば六角コーチネジのような大径ネジ（１２）を、また図４に示すように小径ネジ挿通孔（６）に例えばサラ頭ネジのような小径ネジ（１３）を装着して各取付片（１）（２）を骨組構造材（９）に確りと止め付ける。この時、各取付片（１）（２）にはゴム製の鞘管（４）が套嵌してあることから、各取付片（１）（２）と骨組構造材（９）の表面との間に位置する鞘管（４）が緩衝材として作用するうえ、大径ネジ（１２）や小径ねじ（１３）の頭部分が鞘管（４）に当接することから、ネジ頭部と取付片（１）（２）との間の緩衝作用と水仕舞の作用とを果たすことになる。
【００１４】
なお、大径ネジ（１２）や小径ネジ（１３）はその螺条部分（１４）を図５に示すように、上面が脚部中心軸に対して直交し、下面が軸周面（１５）と鈍角をなす形状に形成してある。
螺条部分をこのように構成しておくことで、骨組構造材（９）に対する大径ネジ（１２）や小径ネジ（１３）の喰い込みが確りし、固定力が強くなるうえ、振動時に抜け出し難くなる。
【００１５】
図６は上述の耐震補強金具を土台材（１０）と根太材（１６）の連結あるいは土台材（１０）（１０）同士の連結のように水平面内で軸接合されるような骨組構造材（９）に適用した場合を示す。この場合には、根太材（１６）や連結される土台材（１０）のように接続部に木口を有する部材（１６）に大径ネジ挿通孔（４）が連出先端寄りに形成されている取付片（１）が、土台材（１０）に小径ネジ挿通孔（６）が連出先端寄りに形成されている取付片（２）がそれぞれ位置する状態に取り付けることになる。
【００１６】
上述の各使用例では、土台材と柱材、土台材同士、あるいは土台材と根太材との接合部に使用する例について説明したが、これを柱材と桁材やつか材との接合部に使用するようにしても良い。さらに、この耐震補強金具は、新築時だけでなく、既設の木造建築物の耐震補強に使用することができる。
【００１７】
【発明の効果】
本発明では、耐震補強金具を略Ｌ字型に形成した金属製金具本体と、この金属製金具本体の二つの取付片にそれぞれ套嵌される弾性材製鞘管とで構成し、各取付片及びこれに套嵌されている弾性材製鞘管に取付ネジ挿通孔がそれぞれ形成してあるので、金属製金具本体と骨組構造材との間及び取り付けネジと金属製金具本体との間に生じる衝撃力を吸収緩衝することができるうえ、取付ネジの頭部と金属製金具本体との間からの水分浸入を防止することになる。これにより、長期にわたって安定した耐震補強性能を維持することができる。
【図面の簡単な説明】
【図１】耐震補強金具の斜視図である。
【図２】その使用状態の一例を示す斜視図である。
【図３】大径ネジでの取り付け部を示す取り出し断面図である。
【図４】小径ネジでの取り付け部を示す取り出し断面図である。
【図５】ネジの螺条を示す要部破断一部取り出し図である。
【図６】別の使用例を示す斜視図である。
【符号の説明】
１・２…取付片、３…金属製金具本体、５…大径ネジ挿通孔、６…小径ネジ挿通孔、９…木造建築物の骨組構造部材、Ｆ…取付ネジ挿通孔。
【図１】
2004011141.tif 000003
【図２】
2004011141.tif 000004
【図３】
2004011141.tif 000005
【図４】
2004011141.tif 000006
【図５】
2004011141.tif 000007
【図６】
2004011141.tif 000008